(57)【特許請求の範囲】
【請求項１】
加圧容器を保持し、該加圧容器頂部の押しボタン式弁を作動させて加圧容器の内容物を分与させる作動装置にして、加圧容器が、押しボタン式弁の周囲に環状のリムを有し、作動装置が、前方部分と、前記押しボタン式弁を作動させるために該押しボタン式弁と係合自在の、前方部分における作動部材とを有する作動装置であって、
弾性的な柔軟性を有し前記前方部分に固定されるリム係合要素にして、リムの円周方向での実質部分の周囲に遊嵌する寸法形状を有する弛緩状態を有し、カム表面を含むリム係合要素と、
錠止要素にして、リム係合要素の外径よりも若干大きい内径を有する実質的に環状の環状部分を含み、リム係合要素との押圧関係を有さない第１の位置と、リム係合要素の前記カム表面と係合して該リム係合要素を弾性的に押圧することによりリム係合要素をリムとクランプ係合する状態とする第２の位置との間を選択的に可動の錠止要素と、
を含む作動装置。
【請求項２】
リム係合要素が、リムに接触する状態で該リムと係合自在の内側表面と、錠止要素が選択的に係合するカム表面を含む外側表面とを有する実質的に環状の要素を含んでいる請求の範囲１の作動装置。
【請求項３】
錠止要素とカム表面とのカム係合により生じるカム作動が、リム係合要素をリムとクランプ係合する状態に弾性的に押圧する請求の範囲２の作動装置。
【請求項４】
リム係合要素及び錠止要素が相互結合されることによりリム係合要素に関する錠止要素の実質的な回転が阻止される請求の範囲１の作動装置。
【請求項５】
リム係合要素が、孔を有する周囲壁を含み、錠止要素が、半径方向内側に向けてプロングが伸延し且つ前記孔に受容されるように位置付けられた実質的に環状の内側壁表面を含んでいる請求の範囲４の作動装置。
【請求項６】
リム係合要素が、錠止要素の、第１の位置から第２の位置への移動を案内するための手段を含んでいる請求の範囲１の作動装置。
【請求項７】
リム係合要素が実質的に環状の水平方向肩部を含み、錠止要素の、第１の位置から第２の位置への移動を案内するための手段が、前記肩部から伸延する突起を含んでいる請求の範囲６の作動装置。
【請求項８】
錠止要素の、第１の位置から第２の位置への移動を案内するための手段が、水平方向に伸延する突起と、垂直方向に伸延する突起とを含んでいる請求の範囲７の作動装置。
【請求項９】
錠止要素がその第１の位置ではリム係合要素の確定する平面と非同一の平面を確定し、その第２の位置ではリム係合要素の確定する平面と実質的に同一の平面内に存在し、それにより、リム係合要素を包囲する請求の範囲１の作動装置。
【請求項１０】
前方部分に固定され、弾性的な柔軟性を有する相対する一対のリム係合要素セグメントにして、リムの周囲に遊嵌する弛緩位置を有し、外側表面と、リムと接触する状態で係合する内側表面とを確定する一対のリム係合要素セグメントと、
リム係合要素セグメントとの非押圧関係にある第１の位置と、リム係合要素セグメントを相互方向に且つリムに接触する状態で弾性的に押圧し、リム係合要素セグメント及びリムを取り付け状態とする第２の位置との間を選択的に可動の錠止要素と、
を含む請求の範囲１の作動装置。
【請求項１１】
リム係合要素セグメントの一方の外側表面上にカム表面を含み、錠止要素が第２の位置にある場合に該カム表面に錠止要素が係合し、錠止要素とカム表面とのカム係合により生じたカム作動により、各リム係合要素セグメントが、該リム係合要素セグメントの確定する内側表面がリムに取り付け状態で係合するまで相互方向に向けて弾性的に押圧される請求の範囲１０の作動装置。
【請求項１２】
リム係合要素セグメントの一方と錠止要素とが相互結合されそれにより錠止要素の、リム係合要素セグメントに関する実質的な回転が防止される請求の範囲１０の作動装置。
【請求項１３】
リム係合要素セグメントの一方が孔を有する周囲壁を含み、錠止要素が実質的に環状の内側壁表面を含み、前記孔に受容される位置において、前記内側壁表面から半径方向内側に向けてプロングが伸延する請求の範囲１２の作動装置。
【請求項１４】
リム係合要素セグメントの一方が、錠止手段の第１の位置から第２の位置への移動を案内するための手段を更に含んでいる請求の範囲１０の作動装置。
【請求項１５】
加圧容器が、前記押しボタン式弁の周囲の環状のリムを有し、
作動装置が、一体のヒンジに沿って相互に折り畳まれた２つの胴部半分体から構成され、前方部分を確定する胴部と、該前方部分における、押しボタン式弁と係合して該押しボタン式弁を作動させる作動部材とを有し、
前方部分に固定されたリム係合要素にして、一対の相対するリム係合接面とを含み、各リム係合要素セグメントが胴部半分体の一方の一部分を構成し、リムの円周方向での実質部分の周囲に遊嵌する弛緩状態を有するリム係合要素と、
リム係合要素との非圧縮関係にある第１の位置と、リム係合要素セグメントを相互方向に且つリムに接触する状態で弾性的に押圧しそれによりリムとリム係合要素セグメントとを取り付け状態とする錠止要素と、
を含む請求の範囲１の作動装置。
【請求項１６】
リム係合要素セグメントが、円周方向の間隙を有する実質的に環状の環状要素を構成し、該環状要素が、リムと、錠止手段が選択的に係合する外側表面とに接触状態で係合する内側表面を確定する請求の範囲１５の作動装置。
【請求項１７】
錠止要素が、環状要素の外径よりも若干大きい内径を有する実質的に環状の環状部分を含み、環状要素の外側表面が、錠止要素が第２の位置に移動した場合に該錠止要素が係合するカム表面を有し、該カム表面に錠止要素がカム係合することにより生じたカム作動が、各リム係合要素セグメントを相互方向に向けて弾性的に押圧しそれにより、各リム係合要素セグメントがリムに接触する状態での取り付け係合状態とされる請求の範囲１６の作動装置。
【発明の詳細な説明】
（発明の分野）
本発明の記載事項は本件出願人の米国特許第５，０８６，９５４号に関連するものである。本発明はエアゾールスプレー缶のような加圧容器を保持するため及び、容器の弁を作動させることによりその加圧された中身を分与するための両方のための装置に関する。詳しくは本発明は、こうした装置をそうした容器に取り付ける手段の機構上の改良に関する。
（従来技術）
スプレー缶保持及び作動装置は斯界に周知であり、例えば米国特許第２，８７７，９３４号、第３，１７２，５８２号、第３，１８９，２３２号、第４，０８９，４４０号などに例示されている。そうした装置は英国特許明細書第１，１６３，９７８号、第１，３４３，８８１号、第１，４８７，７１９号（公表出願）、第２，００１，７０６号（公表出願）に開示される。
最も普及している形式のスプレー缶保持及び作動装置の１つは、Ｈｕｔｃｈｎｓｏｎの米国特許第４，４３２，４７４号、Ｂｒｏｄｙの第４，８０５，８１２号、第５，０８６，９５４号、第５，３２３，９３７号に例示されるような全体的にピストル型のものである。こうした装置には代表的には、ピストルグリップハンドルを有する胴部と、スプレー缶上部に取り外し自在の態様で装置を装着するための、胴部前方の取り付け手段とを含んでいる。胴部は、トリガーに作動上結合した弁作動部材を担持し、この弁作動部材はピストルグリップハンドルに関しトリガーのそれと類似の位置に位置付けられる。トリガーと弁作動部材とが連結されていることで、トリガーを引き、弁を作動させて容器の内容物を分与すると、弁作動部材は弁との作動係合状態に持ち来たされる。
上述のＢｒｏｄｙの各参照特許に記載される装置では、弁作動機構を無効化あるいは錠止するための機構が追加されている。米国特許第５，０８６，９５４号、第５，３２３，９３７号には、代表的には弁を包囲する溝と係合させることでスプレー缶に装置を取り付ける装置構造に関する改良が記載される。
従来の多くの装置、特にはＢｒｏｄｙの各特許に記載される装置は商業的成功を収めているが、入手することのできるスプレー缶保持及び作動装置の有用性を高め、且つその性能を一段と改良するための更なる改良が求められている。
装置をより確実に缶に取り付けるに際しての問題に対する１つの従来方策が本明細書の図１０に示される。この方策では、Ｂｒｏｄｙの各前記特許に一般的に説明される形式のスプレー缶保持及び作動装置１００が使用される。装置１００は全体的にピストル形状の胴部１０２を有し、この胴部が、上下に伸延する前方部分１０４を備え、この前方部分１０４を、環状リム１１０の包囲する押しボタン弁１０８を備えた代表的なスプレー缶１０６に取り付けるようになっている。前方部分１０４には割リング形態の缶保持部材が設けられる。缶保持部材は、その後部にヒンジ（図示せず）取り付けする第１及び第２の各リング半分体１１２ａ、１１２ｂを含み、リング半分体１１２ａの自由端部には長孔１１６が形成され、リング半分体１１２ｂの自由端部には突起あるいは指掛け１１８が形成される。指掛け１１８は、長孔１１６内に受容されると環状リム１１０の周囲に配置したリング半分体１１２ａ及び１１２ｂを固定する。スプレー缶１０６を適正に安定化させるためにリング半分体１１２ａの、長孔１１６から約９０°離れた位置には長孔付きタブ１２０を設け、この長孔付きタブ１２０が、胴部１０２の前方部分１０４から横方向に伸びる突起１２２を受容する。
上述した方策は多くの適用例において満足の行く結果を生じたものの、製造上幾分複雑でありしかもコスト高であることから、特に大型の重い缶への取り付け上の安定性及び安全性に関する問題が幾つか残される。
かくして、大型の重い缶に使用するためのよりしっかりとした取り付け機構並びに、従来入手し得るものよりも簡単でありしかも一段と経済的な取り付け機構に対する需要がある。
（発明が解決しようとする課題）
大型の重い缶と共に使用するためのよりしっかりとした取り付け機構並びに、従来入手し得るものよりも簡単でありしかも一段と経済的な取り付け機構を提供することである。
（課題を解決するための手段）
本発明は一般に、改良されたエアゾールスプレー缶保持用及び作動用装置（Ｂｒｏｄｙの米国特許第４，８０５，８１２号、第５，０８６，９５４号、第５，３２３，９３７号に一般的に例示される形式での）であって、リム係合要素と、このリム係合要素を、缶の押しボタンを包囲するリムに押し付けてリム係合要素とリムとをしっかりと取り付けるための押し付け機構とを含んでいる。好ましい実施例では押し付け機構は、リム係合要素をリムに押し付けてリム取り付け状態に錠止する錠止要素を含む。更に詳しくは、本発明のリム係合要素は相対する一対のリム係合要素セグメントを含み、これらのリム係合要素セグメントが、リムの外側周囲に緩く嵌合するべく寸法形状付けした実質的に環状の内側表面を確定する。また前記錠止要素はこのリム係合要素セグメントの前記外側表面を押圧する係合状態及び係合しない状態に可動の実質的に環状の部材を含む。錠止要素は、リム係合要素セグメントとの押圧係合関係に入るに際し、リム係合要素セグメントを相互方向に押圧してリムにクランプ係合させる。錠止要素をリム係合要素セグメントとの押圧係合関係から外すべく移動すると、リム係合要素セグメントは自らの弾性で元の位置に復帰し、かくしてリム係合要素をリムから容易に分離させることが出来るようになる。リム係合要素には、錠止要素により提供されるクランプ作動を助長及び容易化するためのカム表面をその外側表面に設けるのが有益である。
以下の詳細な説明からより完全に認識されるように、本発明によれば、スプレー缶へのスプレー缶保持及び作動装置のしっかりとした取り付けが提供される。更には、本発明によれば、従来の射出成形技法を使用して容易に達成することのできる、かくして既存のスプレー缶保持及び作動装置に容易に組み入れることのできる著しい機能向上が提供される。
【図面の簡単な説明】
図１は本発明の改良を組み込んだスプレー缶保持及び作動装置の斜視図である。
図２は本発明の改良取り付け機構の各構成部品を分離状態で示す側面図である。
図３は図２を線３−３に沿って切断した断面図である。
図４は図２を線４−４に沿って切断した断面図である。
図５は本発明の改良取り付け機構の各構成部品を分解状態で示す側面図である。
図５Ａは図５を線５Ａ−５Ａに沿って切断した断面図である。
図６はスプレー缶への取り付けプロセスに際しての装置状況を示す側面図である。
図７は図６を線７−７に沿って切断した断面図である。
図８はスプレー缶に取り付けた装置を示す、図６と類似の側面図である。
図９は図８を線９−９に沿って切断した断面図である。
図１０は代表的なスプレー缶に取り付けた状態での、従来の取り付け機構を組み込んだスプレー缶保持用及び作動装置の斜視図である。
（実施例）
図面を参照して説明するに、図１には、押しボタン式スプレー弁１４を有する加圧容器あるいは加圧缶１２に装着した、本発明の好ましい実施例に従う改良された保持及び作動装置１０（以下、単に装置１０とも称する）が示される。本実施例の装置１０は代表的には、斯界に周知の、“バタフライ”射出成型法のような従来技法により成形したプラスチック製の胴部１６を有している。胴部１６はピストルグリップハンドル１８と、前側の一部分が間隙２４（図４に最も良く示される）により断続され全体に環状のリム係合要素２２内で終端する、全体的に下方に伸延する前方部分２０とを含んでいる。図６及び図９に最も良く示されるように、リム係合要素２２は、押しボタン式スプレー弁１４の周囲の加圧容器１２の頂部に形成した環状リム２６の外側周囲部分に嵌合する内側寸法形状を有している。
装置１０の胴部１６はバタフライ射出成型法により形成される。かくして胴部１６は先ず、軸線方向あるいは長手方向の２つの胴部半分体１６ａ及び１６ｂとして形成した後、長手方向の一体ヒンジ１６ｃに沿って連結し、この一体ヒンジに沿って各胴部半分体１６ａ、１６ｂを相互方向に折り畳むことにより形成される。従って、リム係合要素２２もまた、長手方向に沿って胴部半分体１６ａ、１６ｂとそれぞれ一体の２つのリム係合要素セグメント２２ａ及び２２ｂに分割される。リム係合要素セグメント２２ａ、２２ｂは、前方の間隙２４と直径位置で相対する後方位置で相互に当接する。胴部半分体６ａ、１６ｂはピストルグリップハンドル１８内で、１つ以上のピン及びソケット配列構成（図示せず）のような幾つかの従来の取り付け機構により相互に取り付けられる。しかしながら胴部半分体１６ａ、１６ｂは前方部分２０では、今後説明する理由のためにそのようには取り付けられない。
胴部１６の前方部分のリム係合要素２２の上方には、胴部１６の前方部分２０の各壁表面により、側方及び上部に囲まれた実質的に矩形の開口部２８が確定される。容器１２の内容物はこの開口部２８を通して押しボタン式スプレー弁１４を通して分与される。
装置１０は、胴部１６の内部に長手方向に配設したレバー３０を含む弁作動部材を含んでいる。レバー３０は、胴部１６の前方部分２０を通して伸延して開口部２８に入り、押しボタン式スプレー弁１４の真上に配置される第１の端部あるいは自由端部を有する。自由端部は、平坦な円盤形態を有し横方向に伸延する表面３２内で終端する。表面３２は今後説明するように、押しボタン式スプレー弁１４と積極的に係合するための実質的に円形の平坦な表面を提供する。レバー３０の他方の端部は胴部１６の下側の開口を通して伸延し、トリガー３６の形状に形成されている。レバー３０は、トリガー３６をハンドル１８の方向に押し付けることで作動され、図示しないピンを中心として回転し、前記第１の端部が下方にピボット回転し、表面３２を押しボタン式スプレー弁１４との係合状態に持ち来す。かくして押しボタン式スプレー弁１４を押し下げると容器１２の内容物が分与される。レバー３０は、胴部１６の内側表面と係合し、またトリガー３６を釈放した際にはレバー３０を元の位置に戻すのを助成するためのバネとして作用する、弾性を有し後方に伸延する延長部分（図示せず）を含み得る。レバー３０の自由端部はそうした元の位置では図１に示すように押しボタン式スプレー弁１４から脱係合されている。
図２から図９に示すように、本発明の取り付け機構はリム係合要素２２と、錠止要素あるいは錠止リング３８とを含んでいる。錠止リング３８は実質的に環状であり、リム係合要素２２の外側周囲部分に同中心状態で嵌合する。従って、その内径はリム係合要素２２の外径よりも若干大きい。今後もっと完全に説明されるように、錠止リング３８は、リム係合要素２２との圧縮係合関係にない第１の位置あるいは釈放位置と、リム係合要素２２との圧縮係合関係を有する第２の位置あるいは錠止位置との間を可動である。
リム係合要素２２と錠止リング３８とは図２から図６に最も良く示される。図３を参照するに、錠止リング３８は、図１に示すような錠止位置にある場合に胴部１６の前方部分２０の開口部２８と整合する、“前方”セクションとも称される実質的に直線の直線部分４０を有している。錠止リング３８は、前方及び後方に夫々伸延する少なくとも１つの、好ましくは２つの水平方向タブ４２ａ、４２ｂを有する。これらの水平方向タブは、錠止リング３８の第１及び第２の各位置間での移動を容易化する。錠止リング３８の内側壁表面の直線部分４０から約９０°の位置で、好ましくは一対の柔軟なプロング４４の形態の抗回転要素が半径方向内側に伸延される。各プロング４４はリム係合要素２２の周囲壁の水平孔あるいは長孔４６（図５参照）内に受容されるように寸法形状付け及び位置付けされる。これらのプロング４４が水平孔あるいは長孔４６に挿入されると錠止リング３８はリム係合要素２２に関して回転しなくなる。以下に説明する目的のために、直線部分４０から内側に伸延する錠止プレート係合フィンガ４８を有益に設け得る。錠止プレート係合フィンガ４８から約１８０°離れた位置から下方に向けて、装置１０を容器１２に取り付けた場合に容器１２を安定化させるための垂直方向突出部５０が伸延される。
リム係合要素２２は、有益には１つ以上のカム表面５２を含む外側周囲表面を有する。カム表面の少なくとも１つは、短い長さ下方及び外側に伸延する突出部５４を形成する。リム係合要素２２の外側周囲表面は実質的に環状の水平方向肩部５６を形成する。水平方向肩部５６から外側方向の、長孔４６の後方には、錠止シリング３８の釈放位置から錠止位置への移動の案内を補助する水平方向突起５８が短い長さ伸延される。水平方向肩部５６には、１つ以上の、垂直方向に伸延する楔状突起６０を設けることもできる。楔状突起６０の最初の１つは、間隙２４の、水平方向突起５８とは反対側の位置で間隙２４に隣り合って位置付けられ、別の楔状突起６０は最初の楔状突起６０から円周方向に短い距離を置いて位置付けることができる。楔状突起６０は、錠止リング３８の移動の案内を補助するのに加え、錠止リング３８を、それが錠止位置に強制移動されるまで釈放位置に保持する。
図５Ａに示すように、各リム係合要素セグメント２２ａ、２２ｂは、リム２６の外側に係合するべく寸法形状付けされた内側表面６２を確定する。内側表面６２は有益には、装置１０を容器１２に取り付ける際にリム２６の頂部と当接して容器を安定化させるための内側に伸延する突起部分６４を１つ以上有するのが有益である。リム係合要素２２の底部周囲の、内側に伸延する周囲リップ６６が装置及び容器間の固定及び安定化を更に増長させる。周囲リップ６６は装置１０を容器１２に取り付けた場合にリム２６の下側部分と係合自在である。
本発明の好ましい実施例では、レバー３０を押しボタン式スプレー弁１４と脱係合する位置に選択的に錠止するためのレバー錠止手段が設けられる。レバー錠止手段には錠止プレート７２が含まれ、錠止プレート７２には、実質的に水平方向の基部７４と、基部７４と若干鈍角を成して連結する中間部分７６と、やはり鈍角を成して中間部分７６と連結する上方部分７８とが含まれる。上方部分７８の上縁部には、有益には直径の異なる、外側方向に伸延する一対のピボットピン８２が設けられる。これらのピボットピン８２は開口部２８の各側において、胴部１６の前方部分２０の相対する２つの側壁の、類似寸法の一対の孔と整合且つ係合自在である。ピボットピン８２及び関連する孔が非対称の寸法を有していることが、組立中におけるプレート７２の正しい配向を容易化する。
ピボットピン８２を関連する孔と係合させると、プレート７２が、開口部２８の内外を実質的に垂直な平面内でピボット運動するべく取り付けられる。プレート７２は、開口部２８の外側へと上方にピボット運動した場合に非錠止位置となり、トリガー３６を押し込むとレバー３０の自由端の円盤状表面３２が押しボタン式スプレー弁１４との作動係合状態に持ち来され得るようになる。プレート７２を開口部２８の内部に向けて下方にピボット回転させるとプレート７２は錠止位置となり、レバー３０の自由端がノッチ８０内に受容されてそれ以上の移動を拘束される。かくして作動レバー３０は然るべく錠止され、その自由端は押しボタン式スプレー弁１４から脱係合される。
上述したレバー錠止機構の有益な特徴は、プレート７２を下方に移動すると、レバー３０の自由端がノッチ８０に受容されない場合でも、このプレートが押しボタン式スプレー弁１４からの噴霧を阻止するシールドとして作用することである。上述した配列構成のその他の利益は、錠止リング３８を錠止位置から釈放位置に移動した場合に、錠止リング３８の錠止プレート係合フィンガ４８が錠止プレート７２を短い距離上方にピボット回転させそれにより、容器１２からの装置１０の取り外しが容易化されることである。
装置１０には有益には、胴部１６の前方部分２０の相対する側壁の内側表面に、ピボットピンの各孔に隣り合う位置で内側方向に伸延する一対の突出部あるいは戻止め８４（その１つが図１に示される）をも設けることができる。戻止め８４は、プレート７２の各側部に接触して若干摩擦係合するような寸法形状を有しこの摩擦係合が、錠止プレート７２を錠止位置に向けて押し下げる、また非錠止位置へと引き上げるために若干の圧力を加える必要性を生じさせそれが、この錠止プレート７２がその非錠止位置から錠止位置へとあるいは錠止位置から非錠止位置へと不用意に移動する恐れを実質的に低減する戻止め機構を提供する。
装置１０の作動状況が図６から図９に示される。先ず図６及び図７を参照するに、錠止プレート７２がその非錠止位置に跳ね上げられ、錠止リング３８が釈放位置とされてリム係合要素２２から部分的に偏倚され、リム係合要素２２により確定される平面とは同一ではない平面を確定している。この、錠止リング３８が楔状突起６０により釈放位置に保持された状態で、装置１０は容器１２のリム２６と係合する状態に持ち来たされる。錠止リング３８はリム係合要素のセグメント２２ａ、２２ｂの少なくとも一方と部分的に係合するものの、こうした係合によってはリム係合要素２２は有意に押し込まれることはない。結局、取り付けプロセスのこの段階では、胴部半分体１６ａ、１６ｂはヒンジ１６ｃの位置で連結され、前方部分２０の位置で相互に若干開放し、各リム係合要素セグメント２２ａ、２２ｂをリム２６の外側の周囲に遊嵌することができるようになる。
図８及び図９に示されるように、錠止リング３８が更に下方に回転し、リム係合要素２２の確定する平面と実質的に同じ平面内で錠止位置となると、錠止リング３８は各リム係合要素セグメント２２ａ、２２ｂの外側周囲表面を完全に包囲する。錠止リングのこの下方への移動は、先に説明したように、短い水平方向突起５８と楔形状突起６０とにより容易化される。錠止リング３８は、下方に移動するに従いカム表面５２と係合し、生じたカム作動により各リム係合要素セグメント２２ａ、２２ｂが相互方向に押し付けられ、錠止リング３８をリム２６にしっかりと取り付けするに十分な力でリム２６にクランプする。次いで、錠止プレート７２を容器１２の内容物を容易に分与する準備状態となるまでその錠止位置に復帰させる。
錠止リング３８の下方への移動はリム係合要素２２の外側突起５４により制限される。外側突起５４は（プロング４４及び長孔４６間での係合と共に）錠止リング３８が装置１０から滑り落ちるのをも防止する。
装置１０を容器１２から取り外す場合は、錠止リング３８をその釈放位置に移動させ、次いで各リム係合要素セグメント２２ａ、２２ｂを、先に説明したようにリム２６を緩く包囲するだけの元の位置にバネ負荷により弾性復帰させた後、装置１０を容器１２から分離させればよい。先に説明したようにこの分離は、錠止プレートを短い距離上昇させ、錠止プレートとリム係合要素との間に幾分化の逃げを提供させる錠止プレート係合フィンガ４８により容易化される。
各リム係合要素セグメント２２ａ、２２ｂのリム２６への選択的クランプ及びリム２６からの釈放は、主に一体ヒンジ１６ｃによって、また、胴部１６の前方部分２０の位置に胴部半分体１６ａ、１６ｂ間に何らの機械的結合部分が存在しないことによって提供される。そうした２つの特徴により、各リム係合要素セグメント２２ａ、２２ｂは、錠止リング３８を釈放位置にした場合には相互にリム２６の周囲に容易に位置付けられ且つリムから容易に取り外されるべく十分に分離開放され、錠止リング３８を錠止位置に移動するに際して錠止リング３８により圧縮力が加えられた場合にはそうした開放状態よりもずっと接近した状態に押し付けられるようになる。かくしてこの“クラムシェル”的な作動が、装置１０をしてリム２６に極めてしっかりと把持せしめる一方で、錠止リング３８を釈放位置に戻すことで圧縮力が除去された場合の急速な釈放を可能とする。
以上の説明から、本発明が、上述した独特の且つ新規な構造により装置１０を容器あるいは缶１２にずっと容易に且つよりしっかりと装着させるという意味において最新の従来技術に勝る明確な利益を提供することが明らかである。従来形式の缶保持及び作動装置の製造費用に著しい追加費用を伴うことなく、従来の射出成形技法におけると全く同じ様式において取り付けの安全性の向上が達成される。リム係合要素２２及び錠止リング３８の特定形状は例示目的のためのみのものである。本発明の作動上の中心的原理は、一体ヒンジ１６ｃにより、また、胴部半分体１６ａ、１６ｂ間に何らの機械的結合部分が存在しないことにより提供されるところの、リム係合要素の２つの各セグメント２２ａ、２２ｂが胴部１６の前方部分２０位置で接近する、先に説明した“クラムシェル”作動にある。この原理は、リムの実質部分に相互に外接する相対するセグメントに分割した第１の要素と、これらのセグメントをリムとしっかりと係合する状態に選択的に弾性付勢する第２の要素とを使用することにより幅広く実現させることができる。従って、ここに説明した特定例以外の広範な形状の構成部品を使用して同じ作動原理を実現することができる。例えば、錠止リングを釈放位置及び錠止位置間で回転移動させる（垂直方向移動ではなく）ための手段（例えば、リム係合要素かあるいは錠止リングにおけるカム表面）を設けることができる。あるいはまた、ここに説明した錠止リング３８ではなく、例えば留め金機構により、リム係合要素の各セグメントを選択的に圧縮及び釈放させることができる。以上、本発明を実施例を参照して説明したが、本発明の内で種々の変更をなし得ることを理解されたい。
【図１】
0003898767.tif 000002
【図２】
0003898767.tif 000003
【図３】
0003898767.tif 000004
【図４】
0003898767.tif 000005
【図５】
0003898767.tif 000006
【図６】
0003898767.tif 000007
【図７】
0003898767.tif 000008
【図５Ａ】
0003898767.tif 000009
【図８】
0003898767.tif 000010
【図９】
0003898767.tif 000011
【図１０】
0003898767.tif 000012